(57)【要約】【課題】建物の屋内の敷居上面と床面との間や屋外の入口部等に存在する段差部に踏板部材を設置し、踏板部材内に踏面の存在を発光により視覚的に認識させる発光部が設けられ、この発光部は明るさセンサ及び人体検知センサからの検知信号に基づいて制御電源部により発光制御されることになり、高齢者や障害者の歩行、車椅子や掃除機の走行が容易になる。【解決手段】建物の屋内の敷居Ｍ上面と床面Ｅとの間や屋外の入口部等に存在する段差部Ｆに設置され、踏面Ｓとなる上面を傾斜状に形成してなる踏板部材１からなり、踏板部材内に踏面の存在を発光により視覚的に認識させる発光部２を設け、踏板部材が設置されている周囲の明るさを検知する明るさセンサ３及び踏板部材に近接する人体を検知する人体検知センサ４を設け、明るさセンサ及び人体検知センサからの検知信号に基づいて発光部を発光制御する制御電源部５を設けてなる。【選択図】図１
2008255734.tif 000002
【特許請求の範囲】
【請求項１】
建物の屋内の敷居上面と床面との間や屋外の入口部等に存在する段差部に設置され、踏面となる上面を傾斜状に形成してなる踏板部材からなり、上記踏板部材内に上記踏面の存在を発光により視覚的に認識させる発光部を設け、該踏板部材が設置されている周囲の明るさを検知する明るさセンサ及び該踏板部材に近接する人体を検知する人体検知センサを設け、該明るさセンサ及び人体検知センサからの検知信号に基づいて該発光部を発光制御する制御電源部を設けてなることを特徴とする段差用補助具。
【請求項２】
上記踏板部材は互いに積層状に接着可能な複数枚の踏板材からなり、該複数枚の踏板材の奥行寸法はそれぞれ次第に大きくなる寸法に形成され、該積層状の踏板部材の上面に階段状の踏面が形成されていることを特徴とする請求項１記載の段差用補助具。
【請求項３】
上記発光部はＬＥＤであることを特徴とする請求項１又は２記載の段差用補助具。
【請求項４】
上記踏板部材はゴム又は弾性をもつ合成樹脂からなることを特徴とする請求項１〜３のいずれか１項に記載の段差用補助具。
【請求項５】
上記制御電源部は上記踏板部材の内部に内蔵されていることを特徴とする請求項１〜４のいずれか１項に記載の段差用補助具。
【請求項６】
上記制御電源部は上記踏板部材とは別体の制御箱内に設けられていることを特徴とする請求項１〜５のいずれか１項に記載の段差用補助具。
【発明の詳細な説明】
【技術分野】
【０００１】
本発明は例えば建物の屋内の敷居上面と床面との間や屋外の入口部等に存在する段差部を解消する際に用いられる段差用補助具に関するものである。
【背景技術】
【０００２】
従来、この種の段差用補助具として、建物の屋内の敷居上面と床面との間や屋外の入口部等に存在する段差部に設置される踏板部材の踏面となる上面を傾斜状に形成してなる構造のものが知られている。
【特許文献１】特開２００３−２０７８１
【発明の開示】
【発明が解決しようとする課題】
【０００３】
しかしながらこれら従来構造の場合、上記段差部に踏板部材が存在することにより敷居等に老人や子供達がつまずいたり、車椅子や掃除機の通過を困難にすることを解消できるものの、夕暮れ時や夜間等において、上記踏板部材の存在を視覚的に認識することが難しいことがあるという不都合も有している。
【課題を解決するための手段】
【０００４】
本発明はこれらの不都合を解決することを目的とするもので、本発明のうちで、請求項１記載の発明は、建物の屋内の敷居上面と床面との間や屋外の入口部等に存在する段差部に設置され、踏面となる上面を傾斜状に形成してなる踏板部材からなり、上記踏板部材内に上記踏面の存在を発光により視覚的に認識させる発光部を設け、該踏板部材が設置されている周囲の明るさを検知する明るさセンサ及び該踏板部材に近接する人体を検知する人体検知センサを設け、該明るさセンサ及び人体検知センサからの検知信号に基づいて該発光部を発光制御する制御電源部を設けてなることを特徴とする段差用補助具にある。
【０００５】
又、請求項２記載の発明は、上記踏板部材は互いに積層状に接着可能な複数枚の踏板材からなり、該複数枚の踏板材の奥行寸法はそれぞれ次第に大きくなる寸法に形成され、該積層状の踏板部材の上面に階段状の踏面が形成されていることを特徴とするものであり、又、請求項３記載の発明は、上記発光部はＬＥＤであることを特徴とするものであり、又、請求項４記載の発明は、上記踏板部材はゴム又は弾性をもつ合成樹脂からなることを特徴とするものである。
【０００６】
又、請求項５記載の発明にあっては、上記制御電源部は上記踏板部材の内部に内蔵されていることを特徴とするものであり、請求項６記載の発明は、上記制御電源部は上記踏板部材とは別体の制御箱内に設けられていることを特徴とするものである。
【発明の効果】
【０００７】
本発明は上述の如く、請求項１記載の発明にあっては、例えば、建物の屋内の敷居上面と床面との間や屋外の入口部等に存在する段差部に踏面となる上面が傾斜状に形成された踏板部材を設置し、踏板部材内に上記踏面の存在を発光により視覚的に認識させる発光部が設けられ、この発光部は明るさセンサ及び人体検知センサからの検知信号に基づいて制御電源部により発光制御されることになり、高齢者や障害者の歩行、車椅子や掃除機の走行が容易になるのは勿論のこと、夕暮れ時や夜間等において、発光部の発光により上記踏板部材の存在を視覚的に認識することができ、高齢者や障害者のつまづき事故を防ぐことができ、かつ、発光部は踏板部材が設置されている周囲の明るさを検知する明るさセンサ及び踏板部材に近接する人体を検知する人体検知センサからの検知信号に基づいて制御電源部により発光制御されるので、消費電力を低く抑えることができ、それだけ、装置の小型化を図ることができると共に可搬性及び設置の融通性を高めることができる。
【０００８】
又、請求項２記載の発明にあっては、上記踏板部材は互いに積層状に接着可能な複数枚の踏板材からなり、複数枚の踏板材の奥行寸法はそれぞれ次第に大きくなる寸法に形成され、積層状の踏板部材の上面に階段状の踏面が形成されているから、踏板材の積層枚数の選択により敷居と床面との段差の高低に応じて踏板部材の高さを調節することができると共に階段状の踏面により滑止効果を期待することもでき、又、請求項３記載の発明にあっては、上記発光部はＬＥＤであるから、一層省電力化及び小型化を図ることができ、又、請求項４記載の発明にあっては、上記踏板部材はゴム又は弾性をもつ合成樹脂からなるので、踏板部材の踏面を踏んだときの騒音を解消することができると共に滑止効果を発揮することができ、それだけ安全性を高めることができる。
【０００９】
又、請求項５記載の発明にあっては、上記制御電源部は、上記踏板部材とは別体の制御箱内に設けられているから、踏板部材の製作を容易に行うことができ、又、請求項６記載の発明にあっては、上記制御電源部は上記踏板部材の内部に内蔵されているから、可搬性を向上することができ、使用の融通性を高めることができる。
【発明を実施するための最良の形態】
【００１０】
図１乃至図７は本発明の実施の形態例を示し、図１乃至図３は実施の第一形態例、図４乃至図７は実施の第二形態例である。
【００１１】
図１乃至図３の実施の第一形態例において、１は踏板部材であって、この場合、ゴム又は弾性をもつ合成樹脂により製作され、住宅の畳材の面Ｇに面一な敷居Ｍ上面と床面Ｅとの間等に存在する段差部Ｆに設置され、踏面Ｓとなる上面を傾斜状に形成して構成している。
【００１２】
この場合、上記踏板部材１は、厚さが一定の複数枚の長方形板状のゴム板又は弾性をもつ合成樹脂板により製作される踏板材Ｋからなり、この複数枚の踏板材Ｋの幅寸法は敷居Ｍの長さに応じて切断可能であると共に複数枚の踏板材Ｋの奥行寸法Ｃはそれぞれ次第に大きくなる寸法に形成され、この各踏板材Ｋのそれぞれの一方端部１ａを敷居Ｍの側面に当接可能に接着剤や接着テープ等により積層したとき各踏板材Ｋのそれぞれの他方端部１ｂからなる階段傾斜状の踏面Ｓが形成されることになる。
【００１３】
２は発光部であって、この場合、複数個のＬＥＤ（発光ダイオード）が用いられ、上記踏板部材１の内部に透明合成樹脂材Ｈにより埋め込まれ、このＬＥＤの発光により踏板部材１の踏面Ｓの存在を視覚的に認識させることになる。
【００１４】
３は明るさセンサ、４は人体検検知センサであって、この場合、明るさセンサ３はＣｄｓセル（光電素子）が用いられ、周囲の明るさを検知する役目を担い、人体検知センサ４は焦電型赤外線センサが用いられ、人体が近づいたことを検知する役目を担っている。この明るさセンサ３として、Ｓｉ半導体を用いる構造のものやその他の明るさセンサ３、人体検知センサ４として、他の赤外線センサ、その他の構造のものを用いることもできる。
【００１５】
５は制御電源部であって、この場合、マイコンを組み込んだ制御部６及び電源部７からなり、上記踏板部材１とは別体な制御箱８内に組み込まれ、この制御箱８には上記明るさセンサ３及び人体検知センサ４が付設され、この明るさセンサ３及び人体検知センサ４は制御箱８内の制御部６と電気的接続されると共に上記発光部２と制御箱８内の制御部６とはコード９を介して電気的接続され、明るさセンサ３及び人体検知センサ４からの検知信号に基づいて上記発光部２を発光制御するように構成されている。この場合、明るさセンサ３からの検知信号が設定された照度以下に応じた検知信号が出力され、かつ、人体検知センサ４が踏板部材１に近づいたことを検知した時、即ち、このＡＮＤ条件を満足したときに、制御部６は発光部２を発光させるように構成している。
【００１６】
又、上記電源部７は、この場合、商用１００Ｖ電源が用いられていると共に充電池が備えられ、非常時等の停電時において、充電池に切り替わるように構成されている。尚、乾電池、太陽電池等を用いることもできる。
【００１７】
この実施の第一形態例は上記構成であるから、例えば、建物の敷居Ｍ上面と床面Ｅとの間等に存在する段差部Ｆに踏面Ｓとなる上面が傾斜状に形成された踏板部材１を設置し、踏板部材１内に上記踏面Ｓの存在を発光により視覚的に認識させる発光部２が設けられ、この発光部２は明るさセンサ３及び人体検知センサからの検知信号に基づいて制御電源部５により発光制御されることになり、高齢者や障害者の歩行、車椅子や掃除機の走行が容易になるのは勿論のこと、夕暮れ時や夜間等において、発光部２の発光により上記踏板部材１の存在を視覚的に認識することができ、高齢者や障害者のつまづき事故を防ぐことができ、かつ、発光部２は踏板部材１が設置されている周囲の明るさを検知する明るさセンサ３及び踏板部材１に近接する人体を検知する人体検知センサ４からの検知信号に基づいて制御電源部５により発光制御されるので、消費電力を低く抑えることができ、それだけ、装置の小型化を図ることができると共に可搬性及び設置の融通性を高めることができる。
【００１８】
又、この場合、上記踏板部材１は互いに積層状に接着可能な複数枚の踏板材Ｋからなり、複数枚の踏板材Ｋの奥行寸法Ｃはそれぞれ次第に大きくなる寸法に形成され、積層状の踏板部材１の上面に階段状の踏面Ｓが形成されているから、踏板材Ｋの積層枚数の選択により敷居Ｍと床面Ｅとの段差の高低に応じて踏板部材１の高さを調節することができると共に階段状の踏面Ｓにより滑止効果を期待することもでき、又、この場合、上記発光部はＬＥＤであるから、一層省電力化及び小型化を図ることができ、又、この場合、上記踏板部材１はゴム又は弾性をもつ合成樹脂からなるので、踏板部材１の踏面Ｓを踏んだときの騒音を解消することができると共に滑止効果を発揮することができ、それだけ安全性を高めることができ、又、この場合、上記制御電源部５は、上記踏板部材１とは別体の制御箱８内に設けられているから、踏板部材１の製作を容易に行うことができる。
【００１９】
図４乃至図７は実施の第二形態例は別例構造を示し、この場合、上記踏板部材１の内部に上記ＬＥＤたる発光部２が透明合成樹脂材Ｈにより埋め込まれ、ＬＥＤの発光により踏板部材１の踏面Ｓの存在を視覚的に認識させ、かつ、この踏板部材１の内部に明るさセンサ３を透明合成樹脂材Ｈにより埋め込み、保護パイプ１０により保護した状態で人体検知センサ４を埋め込み、加えて、制御電源部５も内部に埋め込んで構成している。
【００２０】
この実施の第二形態例は上記構成であるから、上記第一形態例と同様な作用効果を得ることができ、加えて、上記制御電源部５は上記踏板部材１の内部に内蔵されているから、可搬性を向上することができ、使用の融通性を高めることができる。
【００２１】
尚、本発明は上記実施の形態例に限られるものではなく、踏板部材１の厚さや材質、形態、発光部２、明るさセンサ３、人体検知センサ４、制御電源部５の構造等は適宜設計して変更されるものである。又、住居や各種施設等の建物の屋内の敷居上面と床面との間に存在する段差部に限らず、屋外の入口部、玄関通路等に存在する段差部にも適用することができる。
【００２２】
以上、所期の目的を充分達成することができる。
【図面の簡単な説明】
【００２３】
【図１】本発明の実施の第一形態例の全体斜視図である。
【図２】本発明の実施の第一形態例の側断面図である。
【図３】本発明の実施の第一形態例の制御系統図である。
【図４】本発明の実施の第二形態例の全体斜視図である。
【図５】本発明の実施の第二形態例の側断面図である。
【図６】本発明の実施の第二形態例の拡大側断面図である。
【図７】本発明の実施の第二形態例の制御系統図である。
【符号の説明】
【００２４】
Ｍ    敷居
Ｅ    床面
Ｆ    段差部
Ｓ    踏面
Ｋ    踏板材
Ｃ    奥行寸法
１    踏板部材
２    発光部
３    明るさセンサ
４    人体検知センサ
５    制御電源部
【図１】
2008255734.tif 000003
【図２】
2008255734.tif 000004
【図３】
2008255734.tif 000005
【図４】
2008255734.tif 000006
【図５】
2008255734.tif 000007
【図６】
2008255734.tif 000008
【図７】
2008255734.tif 000009